(57)【要約】【課題】エレベータのワイヤロープ交換作業の現場において、ワイヤロープの切れ目のない途中部分においても、ワイヤロープを切ることなくドラムの外周に掛ける作業を容易に行なえ、かつ、複数本のワイヤを同時に処理することができるエレベータ用ワイヤロープ交換機を提供することを目的とする。【解決手段】エレベータ用ワイヤロープ交換機１０１は、複数のワイヤロープ１を外周面に巻き掛けて保持することができ、かつ、回転駆動されるドラム２と、複数のワイヤロープ１の各々に対応して、ワイヤロープ１をドラム２の外周面に対して押圧する第１姿勢と前記ワイヤロープを押圧せず前記ドラムの外周面から前記ワイヤロープを出し入れできる程度に離隔した第２姿勢との間で相互に切り替えることが個別にできる複数の押さえローラ部３ａ，３ｂとを備える。【選択図】図１７
2017030926.tif 000002
【特許請求の範囲】
【請求項１】
複数のワイヤロープを外周面に巻き掛けて保持することができ、かつ、回転駆動されるドラムと、
前記複数のワイヤロープの各々に対応して、前記ワイヤロープを前記ドラムの外周面に対して押圧する第１姿勢と前記ワイヤロープを押圧せず前記ドラムの外周面から前記ワイヤロープを出し入れできる程度に離隔した第２姿勢との間で相互に切り替えることが個別にできる複数の押さえローラ部とを備える、エレベータ用ワイヤロープ交換機。
【請求項２】
前記ドラムを収容するハウジングを備え、
前記ハウジングは、前記複数の押さえローラ部の少なくともいずれかが前記第２姿勢にある状態において、外部から持ち込まれる前記ワイヤロープの途中部分を前記ドラムの外周面に掛ける作業、および、前記ドラムの外周面に巻き掛けられている状態の前記ワイヤロープを前記ドラムから取り外して持ち出す作業を行なえる程度に、前記ドラムの外周面の少なくとも一部を露出させる作業開口部を有する、請求項１に記載のエレベータ用ワイヤロープ交換機。
【請求項３】
前記複数の押さえローラ部の各々における前記第１姿勢と前記第２姿勢との間の切替えは、回動することによって行なう、請求項１または２に記載のエレベータ用ワイヤロープ交換機。
【請求項４】
前記複数の押さえローラ部のうちから任意に選択される１以上の押さえローラ部を前記第２姿勢とした状態で維持することができるストッパを備える、請求項３に記載のエレベータ用ワイヤロープ交換機。
【請求項５】
前記複数の押さえローラ部の各々は、個別に着脱可能である、請求項１から４のいずれかに記載のエレベータ用ワイヤロープ交換機。
【請求項６】
前記複数の押さえローラ部の各々は、素手で取り外すことができる、請求項５に記載のエレベータ用ワイヤロープ交換機。
【請求項７】
吊り金具を備え、前記ドラムの外周面に前記複数のワイヤロープを巻き掛けて保持した状態で、前記ドラムおよび前記複数の押さえローラ部は、前記吊り金具を介して一括して吊り下げ可能である、請求項１から６のいずれかに記載のエレベータ用ワイヤロープ交換機。
【請求項８】
前記ドラムの上方において前記ドラムの回転軸と平行に延在する吊り金具保持バーを備え、
前記吊り金具は、前記吊り金具保持バーに取り付けられており、前記吊り金具保持バーの長手方向に関して位置調整が可能である、請求項７に記載のエレベータ用ワイヤロープ交換機。
【発明の詳細な説明】
【技術分野】
【０００１】
本発明は、エレベータ用ワイヤロープ交換機に関するものである。
【背景技術】
【０００２】
従来、ロープ式のエレベータにおいてワイヤロープを交換する際には、エレベータのかごを最上階などに固定し、人力のみで、または、ウインチを使って、ワイヤロープを人手で交換していた。
【０００３】
人力のみで行なわれていたエレベータのワイヤロープ交換は、時間と労力を要する。また、エレベータのワイヤロープの交換に用いられる従来の一般的なウインチでは、ドラムの外周にワイヤロープを掛けるには、ワイヤロープの一方の端を持ってきてウインチに挿入する必要がある。しかし、エレベータ用のワイヤロープの端は、かごや釣合おもりに結合されるために変形させられていたり専用金具が既に付けられていたりして、そのままではウインチに挿入できるような状態ではないことが多い。
【０００４】
また、たとえば現場でどの程度の長さのワイヤロープが必要であるかが事前に詳細にわからない場合には、余裕をもって実際に必要な長さよりもはるかに長いワイヤロープを現場に持参して作業を開始することとなるが、その場合、ウインチによる巻き取り作業をするためにいちいちワイヤロープの端から順に通していかなければならないとすると作業効率が著しく悪くなる。
【０００５】
ワイヤロープの端がどのような形状になっていようと影響を受けることなくワイヤロープに対する牽引作業が行なえること、そして、実際に必要な長さよりはるかに長いワイヤロープが用意されている場合であっても途中の必要な箇所から作業を開始できることが望ましい。また、人力に頼らない形で作業ができることが望ましい。
【０００６】
これらの要求を満たすための装置が、特開２０１３−２２７１４４号公報（特許文献１）に記載されている。
【先行技術文献】
【特許文献】
【０００７】
【特許文献１】特開２０１３−２２７１４４号公報
【発明の概要】
【発明が解決しようとする課題】
【０００８】
特許文献１に記載された装置では１本のワイヤロープに対応することはできるが、実際には、マンション等に設置された小型のエレベータでは、細い径で多くの本数のワイヤロープが並列で使用されている場合がある。このように多くの本数のワイヤロープが並列で使用されているエレベータにおいてワイヤロープ交換作業を行なう場合には、たとえ特許文献１に記載された装置を使用したとしても、１本ずつ処理していては作業効率が悪い。
【０００９】
そこで、本発明は、複数本のワイヤロープが並列で使用されているエレベータのワイヤロープ交換作業の現場において、ワイヤロープ端が変形させられている、もしくは、専用金具などが既に取り付けられているワイヤロープにおいても、または、長いワイヤロープの切れ目のない途中部分においても、ワイヤロープを切ることなくドラムの外周に掛ける作業を容易に行なえ、かつ、複数本のワイヤロープを同時に処理することができるエレベータ用ワイヤロープ交換機を提供することを目的とする。
【課題を解決するための手段】
【００１０】
上記目的を達成するため、本発明に基づくエレベータ用ワイヤロープ交換機は、複数のワイヤロープを外周面に巻き掛けて保持することができ、かつ、回転駆動されるドラムと、前記複数のワイヤロープの各々に対応して、前記ワイヤロープを前記ドラムの外周面に対して押圧する第１姿勢と前記ワイヤロープを押圧せず前記ドラムの外周面から前記ワイヤロープを出し入れできる程度に離隔した第２姿勢との間で相互に切り替えることが個別にできる複数の押さえローラ部とを備える。
【発明の効果】
【００１１】
本発明によれば、ドラムに複数のワイヤロープを巻き掛けて保持することができ、なおかつ、複数の押さえローラ部はドラムの外周面に対する押圧の有無を個別に切換え可能であるので、複数本のワイヤロープが並列で使用されているエレベータのワイヤロープ交換作業の現場において、ワイヤロープを切ることなくドラムの外周に掛ける作業を容易に行なうことができる。しかも、複数本のワイヤロープを同時に処理することができる。
【図面の簡単な説明】
【００１２】
【図１】本発明に基づく実施の形態１におけるエレベータ用ワイヤロープ交換機の蓋を閉じた状態の正面図である。
【図２】本発明に基づく実施の形態１におけるエレベータ用ワイヤロープ交換機の蓋を開けた状態の正面図である。
【図３】本発明に基づく実施の形態１におけるエレベータ用ワイヤロープ交換機の蓋を開け、内部構造がわかるように一部を取り去った状態の正面図である。
【図４】本発明に基づく実施の形態１におけるエレベータ用ワイヤロープ交換機の蓋を開け、複数の押さえローラ部の全てを第２姿勢とした状態の正面図である。
【図５】本発明に基づく実施の形態１におけるエレベータ用ワイヤロープ交換機の部分断面図である。
【図６】本発明に基づく実施の形態１におけるエレベータ用ワイヤロープ交換機の使用中の第１の状態を示す正面図である。
【図７】本発明に基づく実施の形態１におけるエレベータ用ワイヤロープ交換機の使用中の第２の状態を示す正面図である。
【図８】本発明に基づく実施の形態１におけるエレベータ用ワイヤロープ交換機の使用中の第３の状態を示す正面図である。
【図９】本発明に基づく実施の形態１におけるエレベータ用ワイヤロープ交換機の使用中の状態の側面図である。
【図１０】本発明に基づく実施の形態１におけるエレベータ用ワイヤロープ交換機に含まれる押さえローラ部の正面図である。
【図１１】本発明に基づく実施の形態１におけるエレベータ用ワイヤロープ交換機に含まれる押さえローラ部の側面図である。
【図１２】本発明に基づく実施の形態１におけるエレベータ用ワイヤロープ交換機に含まれる押さえローラ部の一部であるブラケットおよびこれに保持される押さえローラの正面図である。
【図１３】本発明に基づく実施の形態１におけるエレベータ用ワイヤロープ交換機に含まれる押さえローラ部に外力が加わっている状態の説明図である。
【図１４】本発明に基づく実施の形態１におけるエレベータ用ワイヤロープ交換機に５本のワイヤロープを設置した状態の第１の例の側面図である。
【図１５】本発明に基づく実施の形態１におけるエレベータ用ワイヤロープ交換機に５本のワイヤロープを設置した状態の第２の例の側面図である。
【図１６】本発明に基づく実施の形態１におけるエレベータ用ワイヤロープ交換機に２本のワイヤロープを設置した状態の一例の側面図である。
【図１７】本発明に基づく実施の形態２におけるエレベータ用ワイヤロープ交換機の使用中の第１の状態を示す正面図である。
【図１８】本発明に基づく実施の形態２におけるエレベータ用ワイヤロープ交換機の使用中の第２の状態を示す正面図である。
【図１９】本発明に基づく実施の形態２におけるエレベータ用ワイヤロープ交換機の使用中の第３の状態を示す正面図である。
【図２０】本発明に基づく実施の形態３におけるエレベータ用ワイヤロープ交換機の吊り金具の相対的な位置調整に関する第１の説明図である。
【図２１】本発明に基づく実施の形態３におけるエレベータ用ワイヤロープ交換機の吊り金具の相対的な位置調整に関する第２の説明図である。
【発明を実施するための形態】
【００１３】
（実施の形態１）
（構成）
図１〜図１３を参照して、本発明に基づく実施の形態１におけるエレベータ用ワイヤロープ交換機１０１について説明する。
【００１４】
本実施の形態におけるエレベータ用ワイヤロープ交換機１０１の外観を図１に示す。エレベータ用ワイヤロープ交換機１０１は、ハウジング４と、その正面に取り付けられた開閉可能な蓋５とを備える。ハウジング４は前面壁２２，２３を含む。前面壁２２，２３はハウジング４のうちの他の部分に対して溶接によって接続されていてもよい。蓋５は、ハウジング４の一方の端に設けられた蝶番５ａによって回動可能となっている。図１においては、蓋５は閉じている。蓋５を閉じた状態では、蓋５は、キャッチクリップ１１によって前面壁２２と結合されうる。前面壁２２には、上側固定ピン１３、下側固定ピン１２、下側中間固定ピン１２ｉが差し込まれている。
【００１５】
エレベータ用ワイヤロープ交換機１０１は、ハウジング４の下方にはモータ８を備える。モータ８は、端子箱８ａを備える。エレベータ用ワイヤロープ交換機１０１は、ハウジング４の側方に制御箱９を備える。図１に示したのはエレベータ用ワイヤロープ交換機１０１にワイヤロープが設置される前の状態である。ハウジング４の上方には吊り金具７が設けられている。吊り金具７は、エレベータ用ワイヤロープ交換機１０１の全体を一括して吊り下げるためのものである。なお、モータ８、制御箱９、吊り金具７などの形状、大きさ、配置はあくまで一例であって、このとおりとは限らない。
【００１６】
エレベータ用ワイヤロープ交換機１０１は最大１０本までのワイヤロープを同時に処理することができるものとして説明する。同時に処理することができる最大本数を１０本としたのはあくまで一例であって、最大本数はこれに限らない。
【００１７】
エレベータ用ワイヤロープ交換機１０１の蓋５を開けた状態を図２に示す。作業者がエレベータ用ワイヤロープ交換機１０１にワイヤロープを設置しようとするときには、まずこのように蓋５が開けられる。この状態ではドラム２が見えている。蓋５を開けた状態では、ドラム２の外周面の少なくとも一部を露出させる作業開口部１０が開口している。
【００１８】
さらに内部構造を説明するために、前面壁２２，２３、下側固定ピン１２、下側中間固定ピン１２ｉを取り去った状態を図３に示す。ドラム２の外周面に対して押圧可能なように複数の押さえローラ部３が設けられている。複数の押さえローラ部３は、紙面奥手前方向に並んでいるので、図３においては最も手前の１つの押さえローラ部３のみが見えている。図３においては、複数の押さえローラ部３は、ワイヤロープ１をドラム２の外周面に対して押圧する姿勢、すなわち第１姿勢にある。複数の押さえローラ部３は、係止部２５によって支持されている。係止部２５は、ロックボルト１４およびロックボルト１４に取り付けられたロックナット１５によって支持されている。ロックナット１５を締め付けた状態では係止部２５は動かない。したがって、係止部２５の存在により、複数の押さえローラ部３は、自由にドラム２から遠ざかることはできないようになっている。ロックナット１５はハンドル１５ａを有する。作業者は、ハンドル１５ａを使ってロックナット１５を回転させることができる。ロックナット１５を回転させることによって係止部２５による押さえローラ部３に対する締めつけの有無を切り替えることが可能である。図３では、下側固定ピン１２、下側中間固定ピン１２ｉを取り去った状態で表示しているが、実際には、押さえローラ部３に設けられた下側孔２１には前面壁２２越しに下側固定ピン１２が挿入されており、ハウジング４に設けられた下側中間孔１８ｉには前面壁２２越しに下側中間固定ピン１２ｉが挿入されている。
【００１９】
本実施の形態におけるエレベータ用ワイヤロープ交換機１０１は最大１０本までのワイヤロープを同時に処理することができる仕様となっているので、押さえローラ部３は１０個存在する。紙面奥手前方向に１０個の押さえローラ部３が並んでいる。
【００２０】
ドラム２の近傍にガイドシーブ６ａ，６ｂも配置されている。ガイドシーブ６ａ，６ｂの間には、外れ防止装置２４が上下方向の位置を調整可能な状態で保持されている。外れ防止装置２４は２個の外れ防止ローラ２４ａ，２４ｂを含んでいる。ガイドシーブ６ａは入側（負荷側）、ガイドシーブ６ｂは出側（反負荷側）のガイドシーブである。
【００２１】
下側固定ピン１２および下側中間固定ピン１２ｉを引き抜いた状態では、上側固定ピン１３を共通の中心として複数の押さえローラ部３は個別に自由に回動させることが可能である。複数の押さえローラ部３の各々は、作業者が回動させることによってドラム２に近づけたりドラム２から遠ざけたりすることができる。
【００２２】
複数の押さえローラ部３の全てをドラム２から遠ざけた状態、すなわち、第２姿勢とした状態を図４に示す。第２姿勢とは、ワイヤロープ１を押圧せずドラム２の外周面からワイヤロープ１を出し入れできる程度に離隔した姿勢である。図４では、１０個ある押さえローラ部３の全てが第２姿勢とされている。たとえば、初期状態で押さえローラ部３が第１姿勢にあったとすると、押さえローラ部３は上側固定ピン１３を中心に回動することによって第２姿勢とされる。作業者がワイヤロープをセットしようとするときには、この状態にしてからワイヤロープがセットされる。エレベータ用ワイヤロープ交換機１０１は、第２姿勢となった押さえローラ部３をそのままの姿勢で保持するための機構としてストッパ２６を備えている。ストッパ２６は、支え棒（ささえぼう）２６ａと、回転軸支持部２６ｂとを含む。支え棒２６ａはたとえば金属棒である。図４では、支え棒２６ａが紙面奥手前方向に延在している。支え棒２６ａからは垂直に回転軸が延在している。支え棒２６ａは水平方向に延在しており、回転軸は鉛直方向に延在している。すなわち、支え棒２６ａと回転軸とを合わせた形状は略Ｌ字形である。この回転軸は、回転軸支持部２６ｂによって回動可能に保持されている。したがって、支え棒２６ａは回転軸を中心に旋回することができる。図４では、支え棒２６ａが紙面手前に向かって延在する姿勢となっており、第２姿勢にある押さえローラ部３が支え棒２６ａにもたれかかっている。言い換えれば、押さえローラ部３が第２姿勢から第１姿勢に戻ることは支え棒２６ａによって阻止されている。このように押さえローラ部３がストッパ２６によって支持されることにより、第２姿勢が維持される。
【００２３】
図４では、ドラム２の下方にある外れ防止装置２４が下方に移動させられている。外れ防止装置２４がこのようにずれることによって、ガイドシーブ６ａ，６ｂに対するワイヤロープ１の着脱も容易になる。
【００２４】
エレベータ用ワイヤロープ交換機１０１を図４における右側から見た部分断面図を、図５に示す。図５では、複数の押さえローラ部３は取り去り、ドラム２は外周部分を半分に割った状態で示している。図５では、蓋５、端子箱８ａなどは図示省略している。ドラム２は、外周面に複数の溝２ｒを有する。溝２ｒは、たとえばＶ溝である。ここで示した例では、最大１０本のワイヤロープ１に対応できるものであるので、溝２ｒは１０本設けられている。ただし、これはあくまで一例であって、溝２ｒの数はこれに限らず他の数であってもよい。
【００２５】
ここで示した例では、ドラム２の回転軸の延長上には減速機２７が配置されている。モータ８は減速機２７に接続されている。減速機２７の上側には、吊り金具保持バー受け具２８ｂが配置されている。吊り金具保持バー受け具２８ｂは吊り金具保持バー２８ａを長手方向に摺動可能に保持している。吊り金具７は、吊り金具保持バー２８ａの途中に取り付けられている。
【００２６】
実際に、ワイヤロープ１をドラム２の外周面に巻き掛けた状態を図６に示す。このようにワイヤロープ１をドラム２の外周面に巻き掛けた後で、外れ防止装置２４は再び上方に移動させられる。図６では、外れ防止装置２４は既に上方に移動している。この状態では、外れ防止ローラ２４ａとガイドシーブ６ａとが入側（負荷側）（図中左側）のワイヤロープ１を挟み込み、外れ防止ローラ２４ｂとガイドシーブ６ｂとが出側（反負荷側）（図中右側）のワイヤロープ１を挟み込む。このようにワイヤロープ１が挟み込まれるので、ワイヤロープ１がガイドシーブ６ａ，６ｂから外れることが防止される。
【００２７】
この後、複数の押さえローラ部３を第１姿勢に戻した状態を図７に示す。押さえローラ部３を第２姿勢から第１姿勢に変更する際にも、押さえローラ部３を回動させればよい。第１姿勢にした後は、押さえローラ部３の姿勢を固定するために、下側孔２１に下側固定ピン１２を挿入する。下側固定ピン１２は前面壁２２（図１参照）を貫通し、全ての押さえローラ部３の下側孔２１を貫通し、さらにハウジング４に設けられた下側孔１８にまで挿入される。さらに前面壁２２越しにハウジング４の下側中間孔１８ｉに下側中間固定ピン１２ｉを挿入することが好ましい。
【００２８】
さらにこの状態で蓋５を閉めた状態を図８に示す。キャッチクリップ１１によるロックも既に施されている。この状態を側方から見たところを図９に示す。ここまで行なえば、エレベータ用ワイヤロープ交換機１０１へのワイヤロープ１の設置作業は完了である。ここでは、１０本のワイヤロープ１を設置する例を示した。
【００２９】
ここでエレベータ用ワイヤロープ交換機１０１の構成を整理すると、以下のようになる。本実施の形態におけるエレベータ用ワイヤロープ交換機１０１は、複数のワイヤロープ１を外周面に巻き掛けて保持することができ、かつ、回転駆動されるドラム２と、複数のワイヤロープ１の各々に対応して、ワイヤロープ１をドラム２の外周面に対して押圧する第１姿勢とワイヤロープ１を押圧せずドラム２の外周面からワイヤロープ１を出し入れできる程度に離隔した第２姿勢との間で相互に切り替えることが個別にできる複数の押さえローラ部３とを備える。
【００３０】
１つの押さえローラ部３を単独で取り出したところを図１０および図１１に示す。図１１は、押さえローラ部３を図１０における右側から見たところである。図１０に示すように、押さえローラ部３は、押さえローラ部アーム３３と、ブラケット３２と、ブラケット３２に保持された押さえローラ１６とを備える。押さえローラ部アーム３３は、上端部に上側孔１９を有し、下端部に下側孔２１を有する。１つのブラケット３２には複数個の押さえローラ１６が保持されている。押さえローラ１６はそれぞれ軸受を介して回動自在となるように保持されている。ブラケット３２と押さえローラ部アーム３３との間には、複数本の案内軸３６が渡されており、各案内軸３６にはばね３４が設けられている。押さえローラ部アーム３３は、凹部３３ａを有している。ブラケット３２は凸部３２ａを有している。ここで示した例では、案内軸３６の本数は２本となっている。
【００３１】
ブラケット３２およびこれに保持される押さえローラ１６をひとかたまりで取り出したところを図１２に示す。ブラケット３２の凸部３２ａは押さえローラ部アーム３３の凹部３３ａに挿入されており、摺動可能である。たとえば押さえローラ１６が何かに押さえつけられたとき、凸部３２ａは凹部３３ａに案内されて凹部３３ａの奥へと入り込む。すなわち、図１３に示すようになる。図１３では、押さえローラ１６に矢印９１の向きに力が加わることによって、ブラケット３２がばね３４に抗して押し込まれている。このように、ブラケット３２は図１３における左右方向に摺動可能である。これに伴い、押さえローラ１６の位置も変わりうる。ばね３４はブラケット３２を図１３における左向きに付勢している。実際には、ドラム２に掛けられたワイヤロープ１に対して押さえローラ部３が近接した状態で押さえローラ部アーム３３が固定されるので、図１３における矢印９１の向きの力が作用し、ばね３４の反力によって押さえローラ１６はワイヤロープ１を押圧する形となる。
【００３２】
（作用・効果）
本実施の形態におけるエレベータ用ワイヤロープ交換機１０１では、ドラム２に複数のワイヤロープ１を巻き掛けて保持することができ、なおかつ、複数の押さえローラ部３はドラム２の外周面に対する押圧の有無を個別に切換え可能であるので、複数本のワイヤが並列で使用されているエレベータのワイヤロープ交換作業の現場において、ワイヤロープを切ることなくドラムの外周に掛ける作業を容易に行なうことができる。ドラム２に複数本のワイヤロープ１を同時に巻き掛けて保持した状態で、ドラム２を回転駆動することにより、複数本のワイヤロープ１を一斉に巻き取ったり巻き戻したりすることもできる。
【００３３】
本実施の形態では、さらに好ましいことに、エレベータ用ワイヤロープ交換機１０１は、ドラム２を収容するハウジング４とを備える。ハウジング４は、複数の押さえローラ部３の少なくともいずれかが第２姿勢にある状態において、外部から持ち込まれるワイヤロープ１の途中部分をドラム２の外周面に掛ける作業、および、ドラム２の外周面に巻き掛けられている状態のワイヤロープ１をドラム２から取り外して持ち出す作業を行なえる程度に、ドラム２の外周面の少なくとも一部を露出させる作業開口部１０を有する。エレベータ用ワイヤロープ交換機１０１は、このような構成であることが好ましい。この構成を採用することにより、ドラム２がハウジング４に収容されているので、作業を安全に行なうことができる。なおかつ、ハウジング４は作業開口部１０を有しているので、ワイヤロープ１をドラム２に掛ける作業およびドラム２から取り外して持ち出す作業を円滑に行なうことができる。
【００３４】
本実施の形態では、各押さえローラ部３は、上側固定ピン１３を中心に回動させることによって、第１姿勢と第２姿勢との間の切替えを行なう構造となっている。本実施の形態で既に示したように、複数の押さえローラ部３の各々における第１姿勢と第２姿勢との間の切替えは、回動によって行なう構造となっていることが好ましい。この構成を採用することにより、作業者は第１姿勢と第２姿勢との間の切替えを容易に行なうことができる。
【００３５】
本実施の形態ではエレベータ用ワイヤロープ交換機１０１は最大１０本までのワイヤロープを扱うことができるものとして説明してきたが、そのようなエレベータ用ワイヤロープ交換機１０１であったとしても常に１０本のワイヤロープをドラム２の外周に巻き掛けるとは限らない。より少ない本数のワイヤロープのみをドラム２の外周に巻き掛けるのみで作業を行なってもよい。
【００３６】
５本のワイヤロープ１を用いる場合のドラム２への掛け方の一例を図１４に示す。ここでは、奥側（図１４における右側）の５つの押さえローラ部３を第１姿勢として、手前（図１４における左側）の５つの押さえローラ部３を第２姿勢としている。第１姿勢となっている押さえローラ部３がある場合であっても、支え棒２６ａを図１４に示すように配置することによって、支え棒２６ａは、第２姿勢の押さえローラ部３を第２姿勢のまま維持するために役立つ。
【００３７】
５本のワイヤロープ１を用いる場合のドラム２への掛け方のもうひとつの例を図１５に示す。ここでは、前側（図１５における左側）から２，４，６，８，１０番目の５つの押さえローラ部３を第１姿勢として、前側から１，３，５，７，９番目の５つの押さえローラ部３を第２姿勢としている。この場合にも支え棒２６ａを図１５に示すように配置することによって、第２姿勢の押さえローラ部３を第２姿勢のまま維持することができる。
【００３８】
２本のワイヤロープ１を用いる場合のドラム２への掛け方の一例を図１６に示す。ここでは、１０個並ぶ押さえローラ部３のうち中央の２個の押さえローラ部３のみを第１姿勢として、他の８個の押さえローラ部３を第２姿勢としている。この場合にも、図１６に示すように支え棒２６ａを利用することができる。
【００３９】
本実施の形態で示したように、エレベータ用ワイヤロープ交換機１０１は、複数の押さえローラ部３のうちから任意に選択される１以上の押さえローラ部３を第２姿勢とした状態で維持することができるストッパ２６を備えることが好ましい。この構成を採用することにより、第２姿勢とした押さえローラ部３がその状態で安定することとなり、作業者が望まないタイミングで第１姿勢に戻ってしまうことを防ぐことができる。ここでは、ストッパ２６として、棒状の支え棒２６ａを備える構造を例示したが、ストッパの構造はこれに限らず他の構造であってもよい。
【００４０】
なお、複数の押さえローラ部３の各々は、個別に着脱可能であることが好ましい。本実施の形態で示したように、押さえローラ部３を回動させることによってドラム２から遠ざけたことによって第２姿勢としたのみである場合には、第２姿勢にある押さえローラ部３がハウジング４からいずれかの方向に突出する状態となり、作業の邪魔になる場合がある。たとえば図６に示す状態では、第２姿勢とされた押さえローラ部３が斜め上方に突出している。突出する押さえローラ部３が作業の邪魔になるような場合には押さえローラ部３を取り外しておく方が好都合な場合がある。また、ワイヤロープの本数が、エレベータ用ワイヤロープ交換機１０１として対応可能な最大本数よりも少ない状態が定常的に続くような場合には、不要な押さえローラ部３を予め外しておいた方が、作業が明瞭になり、間違いを防げるなど、好都合である場合もある。そのように、状況に応じて取り外せることが好ましい。その場合、取り外した押さえローラ部３を再び取り付けることができることが好ましい。本実施の形態で示した例では、上側固定ピン１３を抜くことによって、押さえローラ部３に対する拘束が解除され、押さえローラ部３を取り外すことができる。
【００４１】
あるいは、押さえローラ部３の第１姿勢から第２姿勢への切替えが、押さえローラ部３の回動によるのではなく、取外しによるものであってもよい。その場合、押さえローラ部３が取り外された状態を第２姿勢とみなすことができる。
【００４２】
なお、複数の押さえローラ部の各々は、素手で取り外すことができることが好ましい。「素手で」とは、道具を使わずにという意味である。この構成を採用することにより、作業現場で複数の押さえローラ部の各々を必要に応じて速やかに取り外すことができ、作業効率が良くなる。
【００４３】
（実施の形態２）
実施の形態１で図１４〜図１６に示したように、ドラム２が同時に扱えるワイヤロープの最大本数より少ない本数のワイヤロープのみをドラム２に巻き掛けてエレベータ用ワイヤロープ交換機１０１を使用する場合、既に述べたように、第２姿勢にある押さえローラ部３がハウジング４からいずれかの方向に突出して作業の邪魔になる場合があるが、かといって取り外してしまうことも望ましくない場合がある。押さえローラ部３を取り外してしまうと、再度使用したくなった場合に取付けの手間が発生するということも考慮すべきであるし、取り外してしまうと、紛失のおそれもある。これらの観点から、図１７〜図１９を参照して、本発明に基づく実施の形態２におけるエレベータ用ワイヤロープ交換機について説明する。
【００４４】
本実施の形態におけるエレベータ用ワイヤロープ交換機では、ハウジング４に下側中間孔１８ｉが設けられており、下側中間固定ピン１２ｉが備わっている。下側中間孔１８ｉおよび下側中間固定ピン１２ｉは、押さえローラ部３を、第１姿勢と第２姿勢の中間に相当する姿勢で固定するためのものである。この状態で固定された場合、押さえローラ部３はドラムを押圧しない。
【００４５】
本実施の形態におけるエレベータ用ワイヤロープ交換機では、ワイヤロープを押圧しない押さえローラ部３について、第２姿勢から第１姿勢に戻すわけではないが、下側中間孔１８ｉおよび下側中間固定ピン１２ｉを利用することにより、邪魔にならない程度の姿勢にして維持することができる。これを第３姿勢と呼ぶこととする。
【００４６】
たとえば、図１７に示すように押さえローラ部３ａは第２姿勢とし、押さえローラ部３ｂは第１姿勢とし、既に必要な本数のワイヤロープ１をドラム２に掛ける作業が終わっているものとする。
【００４７】
図１８に示すように、押さえローラ部３ａを第２姿勢から第１姿勢寄りに回動させ、押さえローラ部３ａの下側孔２１がハウジング４の下側中間孔１８ｉに重なる位置まで回動させる。この位置で、前側壁２２越しに下側中間固定ピン１２ｉを挿入する。下側中間固定ピン１２ｉは、前側壁２２にあけられた孔を通り、押さえローラ部３ａの下側孔２１を貫通して、ハウジング４の下側中間孔１８ｉに挿入される。こうして、図１８に示すように押さえローラ部３ａは固定される。すなわち、第３姿勢で固定される。
【００４８】
一方、図１８では、押さえローラ部３ｂは第１姿勢で固定されている。固定ピン１２は、押さえローラ部３ｂの下側孔２１を貫通してハウジング４の下側孔１８に挿入される。
【００４９】
この状態で、蓋５を閉めることにより図１９に示すようになる。このようにすることで、押さえローラ部３ｂを第１姿勢で固定しつつ、押さえローラ部３ａは第１姿勢と第２姿勢との中間の状態、すなわち第３姿勢で固定することができる。本実施の形態では、このようにすることによって、ワイヤロープ１の保持に寄与しない押さえローラ部３ａがハウジング４から突出する度合を低減することができるので、著しく突出した押さえローラ部３ａが作業の邪魔になることを、回避することができる。
【００５０】
（実施の形態３）
図２０〜図２１を参照して、本発明に基づく実施の形態３におけるエレベータ用ワイヤロープ交換機について説明する。本実施の形態におけるエレベータ用ワイヤロープ交換機は、基本的な構成としては、実施の形態１で説明したものと同様であるが、本実施の形態では、以下の点が強調される。
【００５１】
本実施の形態におけるエレベータ用ワイヤロープ交換機は、吊り金具７を備える。ドラム２の外周面に複数のワイヤロープ１を巻き掛けて保持した状態で、ドラム２および複数の押さえローラ部３は、吊り金具７を介して一括して吊り下げ可能である。
【００５２】
さらに好ましいことに、本実施の形態におけるエレベータ用ワイヤロープ交換機は、ドラム２の上方においてドラム２の回転軸と平行に延在する吊り金具保持バー２８ａを備える。吊り金具７は、吊り金具保持バー２８ａに取り付けられており、吊り金具保持バー２８ａの長手方向に関して位置調整が可能である。
【００５３】
実施の形態１において示したエレベータ用ワイヤロープ交換機１０１においてもこの構成は備わっていたが、本実施の形態では、特にこの構成に注目して説明する。
【００５４】
吊り金具７が吊り金具保持バー２８ａの長手方向に関して位置調整が可能とは、たとえば図２０において矢印９２ａ，９２ｂで示すように、吊り金具７の相対的な位置が調整可能ということを意味する。吊り金具保持バー２８ａはドラムの回転軸と平行に延在するので、吊り金具７の相対的な位置は、ドラムの回転軸方向に沿って変更可能ということになる。図２０に示した例では、吊り金具保持バー２８ａは吊り金具保持バー受け具２８ｂによって長手方向に摺動可能なように保持されている。吊り金具保持バー受け具２８ｂは略円筒形状の部材である。吊り金具保持バー２８ａは一方の端部に抜け防止突起２８ｃを有する。
【００５５】
たとえば図２０に示すように、ドラムに設けられた１０の溝を全て利用して１０本のワイヤロープ１が掛けられている場合と、図２１に示すように、ドラムの一部の溝のみを利用して少ない本数のワイヤロープ１のみが掛けられている場合とで、装置全体の重心が異なる場合がある。特にワイヤロープ１には下向きの荷重がかかるので、全体のバランスが変わってくる場合がある。
【００５６】
本実施の形態では、図２０に示した状態と図２１に示した状態とで、装置全体の重心が異なることを考慮し、吊り金具７の相対的な位置を調整している。本実施の形態では、吊り金具７は、吊り金具保持バー２８ａの長手方向に関して位置調整が可能なように、吊り金具保持バー２８ａに対して取り付けられているので、このような要望に応じた相対的な位置調整が可能であり、ワイヤロープ１を掛ける本数、ワイヤロープ１の長さ（自重）、ドラムのうちのワイヤロープ１を掛ける溝の配置が変化しようとも、作業者は現場で吊り金具７の位置を調整することでバランスよく装置全体を吊り下げることが可能となる。
【００５７】
このような吊り金具７の相対的な位置調整は、ワイヤロープ１をドラムに掛けた状態のエレベータ用ワイヤロープ交換機を、吊り金具７を介して吊り下げたままの状態で行なえることが好ましい。ここで示した吊り金具保持バー２８ａおよび吊り金具保持バー受け具２８ｂの構造を用いれば、吊り下げたままの状態で吊り金具７の相対的な位置調整が可能となる。これにより、作業現場で実際に様子を見ながらバランスを調整することができる。
【００５８】
エレベータ用ワイヤロープ交換機で複数本のワイヤロープ１を同時に扱う場合には、扱うワイヤロープの本数、長さ、配置によって、装置全体の重心が変わりがちであるので、ここで説明したような吊り金具７の位置調整のための機構が備わっていることによる利点は大きい。
【００５９】
（過負荷防止機構）
エレベータ用ワイヤロープ交換機において、たとえばワイヤロープの１本当たりの定格能力を１０ｋｇとし、最大保持力を１８ｋｇとし、モータの最大出力から得られる最大能力を２５０ｋｇとする。
【００６０】
上記各実施の形態におけるエレベータ用ワイヤロープ交換機では、複数あるワイヤロープの各々は、個別に押さえローラ部３（図１０参照）によってドラムに対して押圧されており、この押圧はばね３４の力でなされている。したがって、最大保持力である１８ｋｇを超える荷重がワイヤロープに作用すると、ドラム２の溝２ｒ（図５参照）とワイヤロープ１との接触部において空転して巻取り不能となる。すなわち、上記各実施の形態におけるエレベータ用ワイヤロープ交換機は、ワイヤロープ１を巻き取ったり巻き戻したりする機構と同時に過負荷防止機構も兼ね備えている。
【００６１】
たとえば１０本のワイヤロープをドラムに掛けて送り出しなどの作業している状態で、たとえば１０本のうち１本のワイヤロープが何かに引っ掛かってしまった場合、その引っ掛かった１本のワイヤロープにはこのエレベータ用ワイヤロープ交換機の最大能力である２５０ｋｇが作用してしまう。そのままエレベータ用ワイヤロープ交換機の力が作用し続けた場合、ワイヤロープが切れるおそれがある。
【００６２】
このエレベータ用ワイヤロープ交換機では、一定以上の荷重がワイヤロープに作用すると当該ワイヤロープに関しては自動的に空転状態に切り替わる構造となっているので、複数本のワイヤロープを同時に扱う場合には、好都合である。
【００６３】
（取っ手）
上記各実施の形態におけるエレベータ用ワイヤロープ交換機は、上部の適当な箇所に吊り金具７とは別に取っ手を備えることが好ましい。ただし、取っ手は、エレベータ用ワイヤロープ交換機の単独の重量、あるいは、エレベータ用ワイヤロープ交換機にワイヤロープを最大本数まで保持した状態での重量に耐えうる強度を有するものである。エレベータ用ワイヤロープ交換機が取っ手を備える構造となっていれば、作業者は取っ手を持ってエレベータ用ワイヤロープ交換機を運ぶことができて便利である。また、取っ手があれば、クレーンなどの何らかの装置のフックを、この取っ手に引っ掛けることにより、吊り金具７を所望の位置に着脱する作業もしやすくなる。上記各実施の形態で示したエレベータ用ワイヤロープ交換機では、吊り金具保持バー受け具２８ｂの外周面を手で握って持つことができる。すなわち、吊り金具保持バー受け具２８ｂが取っ手を兼ねている。
【００６４】
（その他）
ここまで、エレベータ用ワイヤロープ交換機を正面から見たときに左側が入側（負荷側）で右側が出側（反負荷側）であるものとして説明してきたが、入側（負荷側）と出側（反負荷側）の配置は左右逆であってもよい。また、エレベータ用ワイヤロープ交換機は、正面から見たときに左右非対称な構造としていたが、左右対称な構造としてもよい。左右対称とした場合には、ガイドシーブは同じサイズのものが左右に配置されてもよい。左右対称とした場合は、作業現場の状況に応じて作業者の判断でどちらを入側（負荷側）としてどちらを出側（反負荷側）とすることも可能なエレベータ用ワイヤロープ交換機とすることもできる。
【００６５】
蓋５は一体物として説明していたが、たとえば蓋５を２つ折りまたは３つ折りの構造にしてもよい。蓋が４以上の部分に分かれていて折り畳める構造であってもよい。蓋５はたとえば蛇腹のように畳めるものであってもよい。蓋５が２つ折りなど何らかの方式によって畳める構造になっていれば、蓋５の開閉に大きな旋回スペースを必要とすることがなくなり、狭い作業スペースにおいても蓋５の開閉が可能になるので好ましい。
【００６６】
なお、上記実施の形態のうち複数を適宜組み合わせて採用してもよい。
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００６７】
１  ワイヤロープ、２  ドラム、２ｒ  溝、３，３ａ，３ｂ  押さえローラ部、４  ハウジング、５  蓋、５ａ  蝶番、６ａ，６ｂ  ガイドシーブ、６ａｒ  溝、７  吊り金具、８  モータ、８ａ  端子箱、９  制御箱、１０  作業開口部、１１  キャッチクリップ、１２  下側固定ピン、１２ｉ  下側中間固定ピン、１３  上側固定ピン、１４  ロックボルト、１５  ロックナット、１５ａ  （ロックナットの）ハンドル、１６  押さえローラ、１８  （ハウジングの）下側孔、１８ｉ  （ハウジングの）下側中間孔、１９  （押さえローラ部の）上側孔、２１  （押さえローラ部の）下側孔、２２，２３  前面壁、２４  外れ防止装置、２４ａ，２４ｂ  外れ防止ローラ、２５  係止部、２６  ストッパ、２６ａ  支え棒、２６ｂ  回転軸支持部、２７  減速機、２８ａ  吊り金具保持バー、２８ｂ  吊り金具保持バー受け具、２８ｃ  抜け防止突起、３２  ブラケット、３２ａ  凸部、３３  押さえローラ部アーム、３３ａ  凹部、３４  ばね、３６  案内軸、９１，９２ａ，９２ｂ  矢印、１０１  エレベータ用ワイヤロープ交換機。
【図１】
2017030926.tif 000003
【図２】
2017030926.tif 000004
【図３】
2017030926.tif 000005
【図４】
2017030926.tif 000006
【図５】
2017030926.tif 000007
【図６】
2017030926.tif 000008
【図７】
2017030926.tif 000009
【図８】
2017030926.tif 000010
【図９】
2017030926.tif 000011
【図１０】
2017030926.tif 000012
【図１１】
2017030926.tif 000013
【図１２】
2017030926.tif 000014
【図１３】
2017030926.tif 000015
【図１４】
2017030926.tif 000016
【図１５】
2017030926.tif 000017
【図１６】
2017030926.tif 000018
【図１７】
2017030926.tif 000019
【図１８】
2017030926.tif 000020
【図１９】
2017030926.tif 000021
【図２０】
2017030926.tif 000022
【図２１】
2017030926.tif 000023
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
複数のワイヤロープを外周面に巻き掛けて保持することができ、かつ、回転駆動されるドラムと、
前記複数のワイヤロープの各々に対応して、前記ワイヤロープを前記ドラムの外周面に対して押圧する第１姿勢と前記ワイヤロープを押圧せず前記ドラムの外周面から前記ワイヤロープを出し入れできる程度に離隔した第２姿勢と前記ワイヤロープを押圧していないが前記ドラムの外周面から前記ワイヤロープを出し入れできるほどには離隔していない第３姿勢との間で相互に切り替えることが個別にできる複数の押さえローラ部とを備える、エレベータ用ワイヤロープ交換機。
【請求項２】
前記ドラムを収容するハウジングを備え、
前記ハウジングは、前記複数の押さえローラ部の少なくともいずれかが前記第２姿勢にある状態において、外部から持ち込まれる前記ワイヤロープの途中部分を前記ドラムの外周面に掛ける作業、および、前記ドラムの外周面に巻き掛けられている状態の前記ワイヤロープを前記ドラムから取り外して持ち出す作業を行なえる程度に、前記ドラムの外周面の少なくとも一部を露出させる作業開口部を有する、請求項１に記載のエレベータ用ワイヤロープ交換機。
【請求項３】
前記複数の押さえローラ部の各々における前記第１姿勢と前記第２姿勢との間の切替えは、回動することによって行なう、請求項１または２に記載のエレベータ用ワイヤロープ交換機。
【請求項４】
前記複数の押さえローラ部のうちから任意に選択される１以上の押さえローラ部を前記第２姿勢とした状態で維持することができるストッパを備える、請求項３に記載のエレベータ用ワイヤロープ交換機。
【請求項５】
前記複数の押さえローラ部の各々は、個別に着脱可能である、請求項１から４のいずれかに記載のエレベータ用ワイヤロープ交換機。
【請求項６】
前記複数の押さえローラ部の各々は、素手で取り外すことができる、請求項５に記載のエレベータ用ワイヤロープ交換機。
【請求項７】
吊り金具を備え、前記ドラムの外周面に前記複数のワイヤロープを巻き掛けて保持した状態で、前記ドラムおよび前記複数の押さえローラ部は、前記吊り金具を介して一括して吊り下げ可能である、請求項１から６のいずれかに記載のエレベータ用ワイヤロープ交換機。
【請求項８】
前記ドラムの上方において前記ドラムの回転軸と平行に延在する吊り金具保持バーを備え、
前記吊り金具は、前記吊り金具保持バーに取り付けられており、前記吊り金具保持バーの長手方向に関して位置調整が可能である、請求項７に記載のエレベータ用ワイヤロープ交換機。
【手続補正２】
【補正対象書類名】明細書
【補正対象項目名】００１０
【補正方法】変更
【補正の内容】
【００１０】
上記目的を達成するため、本発明に基づくエレベータ用ワイヤロープ交換機は、複数のワイヤロープを外周面に巻き掛けて保持することができ、かつ、回転駆動されるドラムと、前記複数のワイヤロープの各々に対応して、前記ワイヤロープを前記ドラムの外周面に対して押圧する第１姿勢と前記ワイヤロープを押圧せず前記ドラムの外周面から前記ワイヤロープを出し入れできる程度に離隔した第２姿勢と前記ワイヤロープを押圧していないが前記ドラムの外周面から前記ワイヤロープを出し入れできるほどには離隔していない第３姿勢との間で相互に切り替えることが個別にできる複数の押さえローラ部とを備える。